(57)【特許請求の範囲】
【請求項１】
上下中間部を連結杆７により連結した一対の支柱５，６を設け、この一対の支柱５，６の下端部には、ベッドのサイドフレーム２に沿って設けられる取付穴３ａ，３ｂ…に抜き差し可能な差込軸４ａ，４ｂをそれぞれ設け、前記一対の支柱のうち一方の支柱５の上部には、先端が他方の支柱６側へ向けて略々水平状に延びる手摺杆８を一体に設け、この手摺杆８と他方の支柱６との合流部には、両者の間に隙間Ｓを形成すると共に、この隙間Ｓの間隔調節手段９を設け、該間隔調節手段９により前記隙間Ｓを狭めて、一方の差込軸を他方の差込軸から離間させ、差込軸４ａ，４ｂが前記取付穴３ａ，３ｂ…の内壁を押圧することで、側枠を固定可能としたことを特徴とするベッドの側枠。
【請求項２】
上記間隔調節手段９により手摺杆８と支柱６との間隔を狭めていく際に、一方の支柱が側枠の面内で揺動自在となるように、該支柱と連結杆７とを支軸１２により枢結し、上記間隔調節手段９により上記隙間Ｓを狭めて、一方の差込軸を他方の差込軸から離間させ、差込軸４ａ，４ｂが上記取付穴３ａ，３ｂ…の内壁を押圧することで、側枠を固定可能としたことを特徴とする請求項１記載のベッドの側枠。
【請求項３】
上下中間部を連結杆７により連結した一対の支柱５，６を設け、この一対の支柱５，６の下端部には、ベッドのサイドフレーム２に沿って設けられる取付穴３ａ，３ｂ…に抜き差し可能な差込軸４ａ，４ｂをそれぞれ設け、前記一対の支柱のうち一方の支柱５の上部には、先端が他方の支柱６側へ向けて略々水平状に延びる手摺杆８を一体に設け、この手摺杆８と他方の支柱６との合流部には、前記手摺杆８を上下方向にずらした状態で、手摺杆８と支柱６との間隔を保持可能な保持手段１３を設け、前記手摺杆８を上下方向にずらすと共に、その状態を前記保持手段１３により保持させて、一方の差込軸を他方の差込軸から離間させ、差込軸４ａ，４ｂが前記取付穴３ａ，３ｂ…の内壁を押圧することで、側枠を固定可能としたことを特徴とするベッドの側枠。
【発明の詳細な説明】
【０００１】
【産業上の利用分野】
本発明は、ベッドの側部に着脱自在に設けられ、そのベッド上に横臥している人の転落や布団の落下を防止すると共に、起き上がり時等の手掛かりともなるベッドの側枠に関するものである。
【０００２】
【従来の技術】
一般に、病人や老人等が使用するベッドには、そのベッド上に横臥している人の転落や布団等の落下を防止するための側枠が設けられている。この側枠は、下部に設けられた差込軸をベッドのサイドフレームに設けられた取付穴に差し込むことによってベッドに取り付けられるようになっており、側枠の着脱が極めて簡単に行うことができる。ところが、この側枠は起き上がり時等の手掛かりとしても利用されており、この場合、上記したようにサイドフレームの取付穴に差込軸を差し込んだだけでは、がたついて不安定であったり、不測に抜けて危険である等の問題があった。そのため、差込軸をボルトで締め付けることにより、側枠をベッドにしっかりと固定するようにしていた。しかしながら、このような差込軸をボルトにより締め付けて固定する方法では、側枠の着脱が面倒であった。
【０００３】
【発明が解決しようとする課題】
そこで本発明は、ベッドの側枠を、極めて簡単に着脱でき、さらに取り付け時にはベッドにしっかりと固定されるようにすることを課題としている。
【０００４】
【課題を解決するための手段】
本発明は上記課題を解決するために、次のように構成した。すなわち、本発明にかかるベッドの側枠は、上下中間部を連結杆７により連結した一対の支柱５，６を設け、この一対の支柱５，６の下端部には、ベッドのサイドフレーム２に沿って設けられる取付穴３ａ，３ｂ…に抜き差し可能な差込軸４ａ，４ｂをそれぞれ設け、前記一対の支柱のうち一方の支柱５の上部には、先端が他方の支柱６側へ向けて略々水平状に延びる手摺杆８を一体に設け、この手摺杆８と他方の支柱６との合流部には、両者の間に隙間Ｓを形成すると共に、この隙間Ｓの間隔調節手段９を設け、該間隔調節手段９により前記隙間Ｓを狭めて、一方の差込軸を他方の差込軸から離間させ、差込軸４ａ，４ｂが前記取付穴３ａ，３ｂ…の内壁を押圧することで、側枠を固定可能とした。
【０００５】
また、前記ベッドの側枠は、上記間隔調節手段９により手摺杆８と支柱６との間隔を狭めていく際に、一方の支柱が側枠の面内で揺動自在となるように、該支柱と連結杆７とを支軸１２により枢結し、上記間隔調節手段９により上記隙間Ｓを狭めて、一方の差込軸を他方の差込軸から離間させ、差込軸４ａ，４ｂが上記取付穴３ａ，３ｂ…の内壁を押圧することで、側枠を固定可能とすることもできる。
【０００６】
さらに、上下中間部を連結杆７により連結した一対の支柱５，６を設け、この一対の支柱５，６の下端部には、ベッドのサイドフレーム２に沿って設けられる取付穴３ａ，３ｂ…に抜き差し可能な差込軸４ａ，４ｂをそれぞれ設け、前記一対の支柱のうち一方の支柱５の上部には、先端が他方の支柱６側へ向けて略々水平状に延びる手摺杆８を一体に設け、この手摺杆８と他方の支柱６との合流部には、前記手摺杆８を上下方向にずらした状態で、手摺杆８と支柱６との間隔を保持可能な保持手段１３を設け、前記手摺杆８を上下方向にずらすと共に、その状態を前記保持手段１３により保持させて、一方の差込軸を他方の差込軸から離間させ、差込軸４ａ，４ｂが前記取付穴３ａ，３ｂ…の内壁を押圧することで、側枠を固定可能とすることもできる。
【０００７】
【作用】
本発明にかかるベッドの側柵によると、該側枠の下部に設けられた２本の差込軸を、ベッドのサイドフレームに沿って設けられた取付穴に差し込む。そして、手摺杆と支柱との間に形成された隙間を間隔調節手段により、手摺杆と支柱とを強制的に密着させるように狭める。すると、それに伴って、側枠が全体的に撓むように、かつ一方の差込軸が他方の差込軸から離間するように側枠が変形していく。これにより、差込軸が前記取付穴の内壁を押圧し、それによって、この側枠をベッドのサイドフレームに固定することができる。また、側枠の固定を解除するには、手摺杆と支柱との間に隙間が形成されるように間隔調節手段を操作する。すると、側枠の全体的な撓みが復元して、前記取付穴の内壁への差込軸の押圧が解除され、該側枠が前記取付穴に簡単に抜き差しできるようになる。
【０００８】
また、支柱の一方を側枠の面内で揺動自在とし、手摺杆と支柱との間に形成された隙間を間隔調節手段により、手摺杆と支柱とを強制的に密着させるように狭めていくと、揺動自在とした支柱が揺動する。すると、それに伴って、一方の差込軸が他方の差込軸から離間するように移動する。これにより、支柱の下部に設けられた差込軸がベッドのサイドフレームに設けられた取付穴の内壁を押圧し、これによって、側枠をベッドのサイドフレームに固定することができる。
さらに、手摺杆と支柱との合流部に保持手段を設け、前記手摺杆を上下方向にずらすと共に、保持手段により、その状態を保持させる。すると、それに伴って、側枠が全体的に撓むように、かつ一方の差込軸が他方の差込軸から離間するように側枠は変形する。これにより、支柱の下部に設けられた差込軸がベッドのサイドフレームに設けられた取付穴の内壁を押圧し、これによって、側枠をベッドのサイドフレームに固定することができる。
【０００９】
【実施例】
以下、本発明の実施例について図面に基づき詳細に説明する。
【００１０】
１は本発明にかかるベッドの側枠を示す。この側枠１は、ベッドのサイドフレーム２に沿って設けられた取付穴３ａ，３ｂ…に対応して差し込まれる差込軸４ａ，４ｂをそれぞれパイプ部材からなる支柱５，６の下端に一体的に設け、この支柱５，６の上下中間部を連結杆７により連結している。そして、前記２本の支柱のうち一方の支柱５は、上端部を他方の支柱６側に向けてＬ字形に屈曲させて略々水平状の手摺杆８を一体的に構成し、さらにこの手摺杆８の先端部を、他方の支柱６の直上部に、隙間Ｓを設けた状態で位置させている。
【００１１】
前記手摺杆８と他方の支柱６との合流部には、前記隙間Ｓの間隔調節手段９が設けられている。この間隔調節手段９は、前記他方の支柱６の上端内径部に、その中央にねじ穴を形成した雌ねじ体１０を設け、一方、手摺杆８の前記ねじ穴に対応する位置に上下方向の貫通穴を穿設し、この貫通穴に握り部１１ａを一体に設けた雄ねじ体１１を上方より挿通し、この雄ねじ体１１のねじ部を前記雌ねじ体１０のねじ穴に螺合させた構成となっている。すなわち、雄ねじ体１１の握り部１１ａを回転操作することによって、図１に示すような手摺杆８と他方の支柱６との間に隙間Ｓが形成される状態と、図２に示すような両者が強制的に密着される状態とに適宜変更できるようになっている。
【００１２】
手摺杆８と他方の支柱６を強制的に密着させると、図２に示すように側枠１が全体的に撓んだ状態、すなわち、他方の支柱６と連結杆７を固定部材として、一体に形成された手摺杆８と一方の支柱５が、この支柱５と連結杆７との連結部を軸として傾動した状態となる。したがって、一方の支柱５の下端部に一体的に設けられた差込軸４ａも反差込軸４ｂ側に傾きながら移動することになる。すると、この差込軸４ａが取付穴３ａの反差込軸４ｂ側内壁を押圧する作用をし、それによってこの側枠１がベッドのサイドフレーム２にしっかりと固定される。
【００１３】
図３は、本発明にかかるベッドの側枠の別の実施例を示す。これは、前記実施例における一方の支柱５と連結杆７との連結部を支軸１２により枢結して、一方の支柱５と、これに一体の手摺杆８と、一方の支柱５の下端に設けられた差込軸４ａとが一体で、前記支軸１２を軸心としてこの側枠１面内で揺動可能に構成されている。この構成の側枠１も前記実施例と同様に、間隔調節手段９を操作して手摺杆８と他方の支柱６とを密着させると、図４に示すように、差込軸４ａが反差込軸４ｂ側に移動して、差込軸４ａが取付穴３ａの内壁を押圧する。したがって、この側枠１はベッドのサイドフレーム２にしっかりと固定される。
【００１４】
図５は、さらに別の実施例を示す。これは、前記図３に示す実施例における手摺杆８の先端部を下方に向けて屈曲させ、その下端部に雌ねじ体１０を固着し、この手摺杆８の先端部と他方の支柱６の上端部とを前後方向に隙間Ｓを設けた状態で並設し、これを雄ねじ体１１により間隔調節可能に構成したものである。また、他方の支柱６と連結杆７との連結部は支軸１２により枢結し、他方の支柱６が前記支軸１２を軸心として前後に揺動可能に設けられている。したがって、間隔調節手段９を操作して手摺杆８と他方の支柱６とを密着させると、図６に示すように、差込軸４ｂが反差込軸４ａ側に揺動して、この差込軸４ｂが取付穴３ｂの内壁を押圧して、側枠１がベッドに固定される。
【００１５】
図７及び図８は、前記した図５に示す構成の側枠１において、手摺杆８と他方の支柱６との前後位置関係を入れ替えると共に、雌ねじ体１０を他方の支柱６の上端部に設けた構成である側枠を示す。これについても前記と同様の作用となるので、説明を省略する。
【００１６】
図９は、手摺杆８と他方の支柱６とを側面視が交差状態である側枠１を示す。これは、手摺杆８を矢印で示す方向に強制的に上動させると、前記実施例と同様に差込軸４ａが揺動する。そして、手摺杆８を上動させた状態で、適宜な保持手段１３によりその状態を保持するように構成されている。この保持手段１３は、例えば図に示すような、他方の支柱６の上端部に係止穴１３ａを穿設し、この係止穴１３ａに係合する突起体１３ｂを前記手摺杆８側に設けておけばよい。すなわち、手摺杆８を上動させてこの突起体１３ｂを他方の支柱６に設けられた係止穴１３ａに係合させると、手摺杆８がこの状態で保持されると共に、差込軸４ａが取付穴３ａの内壁を押圧して、側枠１がベッドに固定される。
【００１７】
【発明の効果】
以上に説明したように、本発明にかかるベッドの側枠によれば、ベッドのサイドフレームに設けられた取付穴に差込軸を差し込んだ状態で、間隔調節手段を操作して、手摺杆と支柱との間の隙間を狭める。すると、それに伴って、側枠が全体的に撓むように、かつ一方の差込軸は他方の差込軸から離間するように側枠が変形していく。これによって、差込軸が取付穴の内壁を押圧して、この側枠をベッドにしっかりと固定することができる。また、間隔調節手段を操作して手摺杆と支柱との間に隙間を形成すれば、取付穴の内壁への差込軸の押圧が解除され、この側枠をベッドへ抜き差し自在な状態とすることができる。したがって、側枠のベッドへの着脱操作が極めて簡単であると共に、取り付け時にはしっかりと固定することができる。
また、支柱の一方を側枠の面内で揺動自在とし、間隔調節手段により手摺杆と支柱との間に形成された隙間を狭めていくと、揺動自在とした支柱が揺動する。すると、それに伴って、一方の差込軸が他方の差込軸から離間するように移動する。これにより、差込軸がベッドに設けられた取付穴の内壁を押圧し、これによって、側枠をベッドのサイドフレームにしっかりと固定するこができる。
さらに、手摺杆と支柱との合流部に保持手段を設け、前記手摺杆を上下方向にずらすと共に、保持手段により、その状態を保持させる。すると、それに伴って、側枠が全体的に撓むように、かつ一方の差込軸が他方の差込軸から離間するように側枠が変形する。これにより、差込軸がベッドのサイドフレームに設けられた取付穴の内壁を押圧し、これによって、側枠をベッドにしっかりと固定することができる。
【図面の簡単な説明】
【図１】本発明にかかるベッドの側枠の一実施例を示す側面図
【図２】その側枠をベッドへ固定した状態を示す側面図
【図３】別の実施例を示す側面図
【図４】その側枠をベッドへ固定した状態を示す側面図
【図５】さらに別の実施例を示す側面図
【図６】その側枠をベッドへ固定した状態を示す側面図
【図７】さらに別の実施例を示す側面図
【図８】その側枠をベッドへ固定した状態を示す側面図
【図９】保持手段を具備する側枠の側面図
【図１０】保持手段の一実施例を示す斜視図
【符号の説明】
１  側枠
２  サイドフレーム
３ａ，３ｂ  取付穴
４ａ，４ｂ  差込軸
５，６  支柱
７  連結杆
８  手摺杆
９  間隔調節手段
１２  支軸
１３  保持手段
Ｓ  隙間
【図１】
0003558103.tif 000002
【図２】
0003558103.tif 000003
【図３】
0003558103.tif 000004
【図４】
0003558103.tif 000005
【図５】
0003558103.tif 000006
【図６】
0003558103.tif 000007
【図７】
0003558103.tif 000008
【図８】
0003558103.tif 000009
【図９】
0003558103.tif 000010
【図１０】
0003558103.tif 000011